(57)【要約】【課題】円形クーラントタンク内に貯液されたクーラントを、機械的にかき回して渦流を発生させる円形渦流クーラントタンクを具備したクーラント清浄装置において、円形クーラントタンクの高さ寸法を任意に設定することができると共に、円形クーラントタンク上の円形クーラントタンク内保守のためのスペースを大きくとることができる、新規な方式を採用したクーラント清浄装置を提供すること。【解決手段】有底円筒形状の円形クーラントタンク１１と、円形クーラントタンク１１内に貯液されたクーラント中に、その一部を浸すように具備され、円形クーラントタンク１１の円周に沿って回転する、少なくとも２か所の攪拌棒１９と、円形クーラントタンク１１の中央に具備され、円形クーラントタンク１１の底部中央に沈殿し集積された切り屑などをクーラントと共に吸引し、円形クーラントタンク１１外部へと排出するための、円形クーラントタンク１１の任意のタンク高さに追随し、上下方向の移動が可能なクーラント吸引パイプ３１を具備する。【選択図】  図１
2004237433.tif 000002
【特許請求の範囲】
【請求項１】
工作機械などから流出された、主に切り屑などを含有するクーラントを貯液するための有底円筒形状の円形クーラントタンクと、
前記円形クーラントタンク内に貯液された前記クーラントのクーラント面に対し直角方向に具備された少なくとも２か所の攪拌棒の一部を、前記円形クーラントタンク内の前記クーラント中に浸すように具備すると共に、前記円形クーラントタンクの円周に沿って回転させ、前記円形クーラントタンク内の前記クーラントを機械的にかき回して渦流を発生させる渦流発生手段と、
前記円形クーラントタンクの中央に具備され、前記円形クーラントタンクの底部中央に沈殿し集積された切り屑などをクーラントと共に吸引し、前記円形クーラントタンク外部へと排出するための、前記円形クーラントタンクの任意のタンク高さに追随することが可能な、パイプ形状のクーラント吸引部を具備することを特徴とするクーラント清浄装置。
【発明の詳細な説明】
【０００１】
【産業上の利用分野】
本発明は、工作機械など（以下、加工母機とも言う。）から流出された主に切り屑などを含有するクーラントから、切り屑などを分離処理してクーラントの清浄化をおこなうクーラント清浄装置に関する。
【０００２】
【従来の技術】
産業界では、リサイクル性の向上のため、加工母機から流出した切り屑、あるいは砥粒などを含有しているクーラントの処理を、クーラントタンクを具備したクーラント清浄装置によりおこなう際に、クーラントタンクの底部に切り屑、あるいは砥粒などを溜めないクーラント清浄装置が要望されている。
【０００３】
図３、及び図４は、加工母機から流出される、磁性体の切り屑あるいは砥粒などを含有しているクーラントのクーラント清浄装置として、
加工母機から流出された、あるいは加工母機から流出され磁気分離器などにより１次濾過が施された、切り屑あるいは砥粒などを含有しているクーラントの処理を、円形クーラントタンク内のクーラントを機械的にかき回して渦流を発生させることによりおこなう有底円筒形状の円形クーラントタンクと、
有底円筒形状の円形クーラントタンクの中央に具備され、円形クーラントタンク内の渦流により有底円筒形状の円形クーラントタンクの底部中央に沈殿し集積された切り屑などを、クーラントと共に吸引するための浸漬形クーラントポンプを組み合わせたクーラント清浄装置を示す説明図である。
【０００４】
加工母機から流出された、あるいは加工母機から流出され磁気分離器などにより１次濾過が施された、切り屑あるいは砥粒などを含有しているクーラントは、円形クーラントタンク１１内部外周側の上部矢印１２方向より円形クーラントタンク１１内に流入される。
【０００５】
円形クーラントタンク１１の上部には、架台１３が装備され、その中央部には、中空回転座３６が具備される。
中空回転座３６の中心線上には、２本のアーム１６、１７が装備され、その先端には、それぞれ円形クーラントタンク１１内に貯液されたクーラントのクーラント面１８に対し直角方向に、その一部をクーラント中に浸した攪拌棒１９、２０が装着される。
【０００６】
攪拌棒１９、２０が装着された２本のアーム１６、１７が装備された中空回転座３６は、架台１３に装備された攪拌機用電動機２３の動力を、ベルト、あるいはローラーチェーンなどによる動力伝達手段３７により中空回転座３６に動力伝達し、アーム１６、１７に装着された、その一部をクーラント中に浸した攪拌棒１９、２０を、円形クーラントタンク１１の円周方向に沿って回転させ、円形クーラントタンク１１内のクーラントを機械的にかき回して効率良く渦流２７を発生させる。
【０００７】
円形クーラントタンク１１内のクーラントに渦流２９を発生させることにより、クーラント中の粗大な切り屑などをはじめ、クーラント中の微細な残存切り屑さえも円形クーラントタンク１１内のクーラントと共に回転しながら徐々に沈降を続け、円形クーラントタンク１１の底面２８中央部に集積する。
【０００８】
なお、インバーターなどを使用することにより、２か所の攪拌棒１９、２０の旋回スピードは可変となり、クーラント、およびスラッジの種類など、状況に応じた最適な旋回スピードを選択することができる。
【０００９】
円形クーラントタンク１１の底面２８中央部に集積された切り屑などは、中空回転座３６の中空部３８内に装備された浸漬形クーラントポンプ３２により、円形クーラントタンク１１内のクーラントと共に吸引され円形クーラントタンク１１外へと圧送されて再処理され、これが繰り返されてクーラントの清浄化がおこなわれる。
【００１０】
円形クーラントタンク１１内において清浄化がおこなわれたクーラントは、円形クーラントタンク１１内から直接、あるいは別置のクリーンタンク内へ送られた後、クーラントポンプにより加工母機へと圧送される。（図示なし。）
【００１１】
【発明が解決しようとする課題】
本発明に係る請求項１は、上記従来の実情に鑑みてなされたものであって、円形クーラントタンクの底面中央部に集積された切り屑などを、円形クーラントタンク内のクーラントと共に吸引するための浸漬形クーラントポンプの大きさ（ケーシングまでの深さ寸法）による円形クーラントタンクの高さ寸法の規制をなくし、円形クーラントタンクの高さ寸法を任意に設定することができると共に、円形クーラントタンク上の円形クーラントタンク内保守のためのスペースを大きくとることができる、新規な方式を採用したクーラント清浄装置を提供することを課題とする。
【００１２】
【課題を解決するための手段】
請求項１に係るクーラント清浄装置は、
工作機械などから流出された、主に切り屑などを含有するクーラントを貯液するための有底円筒形状の円形クーラントタンクと、
円形クーラントタンク内に貯液されたクーラントのクーラント面に対し直角方向に具備された少なくとも２か所の攪拌棒の一部を、円形クーラントタンク内のクーラント中に浸すように具備すると共に、攪拌棒を円形クーラントタンクの円周に沿って回転させ、円形クーラントタンク内のクーラントを機械的にかき回して渦流を発生させる渦流発生手段と、
円形クーラントタンクの中央に具備され、円形クーラントタンクの底部中央に沈殿し集積された切り屑などをクーラントと共に吸引し、円形クーラントタンク外部へと排出するための、円形クーラントタンクの任意のタンク高さに追随することが可能な、パイプ形状のクーラント吸引部を具備することを特徴とするものである。
【００１３】
【発明の実施の形態】
本実施形態に係るクーラント清浄装置は、加工母機から流出された切り屑などを含有しているクーラントの処理をおこなう、クーラント清浄装置である。
なお、本実施形態に係るクーラント清浄装置は、加工母機から流出した切り屑、あるいは砥粒などを含有しているクーラントの処理をおこなう際に、クーラントタンクの底部に切り屑あるいは砥粒などを溜めないクーラント清浄装置が要望されている。
以下、本発明の代表的な実施形態を図面を参照して説明する。
ただし、この実施例に記載されている構成部品の寸法、形状、材質、その相対位置などは、特に特定的な記載がないかぎりはこの発明の範囲をそれらのみに限定する趣旨のものではなく、単なる説明例にすぎない。
【００１４】
加工母機から流出したクーラント内に含有する切り屑などの処理をおこなう、本実施形態に係るクーラント清浄装置について、図１、および図２に基ずいて説明する。
【００１５】
加工母機から流出された、あるいは加工母機から流出され磁気分離器などにより１次濾過が施された、切り屑あるいは砥粒などを含有しているクーラントは、円形クーラントタンク１１内部外周側の上部矢印１２方向より円形クーラントタンク１１内に流入される。
【００１６】
円形クーラントタンク１１の上部には、架台１３が装備され、その中央部には、フランジ付き中空軸１４が具備される。
フランジ付き中空軸１４に回転可能に挿着されたスプロケット１５の中心線上には、２本のアーム１６、１７が装備され、その先端には、それぞれ円形クーラントタンク１１内に貯液されたクーラントのクーラント面１８に対し直角方向に、その一部をクーラント中に浸した攪拌棒１９、２０が装着される。
【００１７】
攪拌棒１９、２０が装着された２本のアーム１６、１７が装備されたスプロケット１５は、架台１３上に装備されたフランジ付き中空軸１４に２か所の軸受け２１、２２を介して回転可能に支持され、同じく架台１３に装備された攪拌機用電動機２３により発生した動力が、攪拌機用電動機２３の出力軸２４に挿着されたスプロケット２５と、攪拌棒１９、２０が装着された２本のアーム１６、１７が装備されたスプロケット１５との間に介装されたローラーチェーン２６を介してスプロケット１５へと動力伝達され、アーム１６、１７に装着された、その一部をクーラント中に浸した攪拌棒１９、２０を、円形クーラントタンク１１の円周方向に沿って回転させ、円形クーラントタンク１１内のクーラントを機械的にかき回して効率良く渦流２７を発生させる。
【００１８】
円形クーラントタンク１１内のクーラントに渦流２７を発生させることにより、クーラント中の粗大な切り屑などをはじめ、クーラント中の微細な残存切り屑さえも円形クーラントタンク１１内のクーラントと共に回転しながら徐々に沈降を続け、円形クーラントタンク１１の底面２８中央部に集積する。
【００１９】
なお、従来の装置と同様に、インバーターなどを使用することにより、２か所の攪拌棒１９、２０の旋回スピードは可変となり、クーラント、およびスラッジの種類など、状況に応じた最適な旋回スピードを選択することができる。
【００２０】
円形クーラントタンク１１の底面２８中央部に集積された切り屑などは、フランジ付き中空軸１４の中空部２９内に遊貫され、クーラントポンプ３０に接続されたクーラント吸引パイプ３１により、円形クーラントタンク１１内のクーラントと共に吸引され、円形クーラントタンク１１外へと圧送されて再処理され、これが繰り返されてクーラントの清浄化がおこなわれる。
【００２１】
なお、円形クーラントタンク１１の底面２８中央部に集積された切り屑などを、円形クーラントタンク１１内のクーラントと共にクーラント吸引パイプ３１を経由して吸引する方法として、上述のクーラントポンプ３０による方法の他、負圧を利用したエゼクタ効果による方法なども考えられる。（図示なし。）
【００２２】
また、フランジ付き中空軸１４の中空部２９内に遊貫されたクーラント吸引パイプ３１は、フランジ付き中空軸１４の中空部２９内において上下方向への移動が可能であり、そのため、円形クーラントタンク１１の任意のタンク高さに追随できるため、従来の浸漬形クーラントポンプ３２のように円形クーラントタンク１１のタンク高さを制約するものはなくなった。
【００２３】
円形クーラントタンク１１の任意のタンク高さに適合する位置に位置決めされたクーラント吸引パイプ３１は、セットボルト３３によりフランジ付き中空軸１４へと固定される。
【００２４】
また、円形クーラントタンク１１のタンク高さが低い場合に対応するため、クーラント吸引パイプ３１のクーラント吸引側先端部３４には、クーラントポンプ３０内への空気巻き込み防止プレート３５が具備される。
【００２５】
円形クーラントタンク１１内の清浄化がおこなわれたクーラントは、円形クーラントタンク１１内から直接、あるいは別置のクリーンタンク内へ送られた後、クーラントポンプにより加工母機へと圧送される。（図示なし。）
【００２６】
その他、本発明装置は、前にも述べたように、上記しかつ図面に示した実施例に限定されるものではなく、要旨を逸脱しない範囲内で適宜変更しうるものである。
【００２７】
【発明の効果】
請求項１に係る、有底円筒形状の円形クーラントタンクと、攪拌棒により機械的に円形クーラントタンク内のクーラントをかき回して渦流を発生させる渦流発生手段と、円形クーラントタンクの底部中央に沈殿し集積された切り屑などをクーラントと共に吸引するための、円形クーラントタンクの任意のタンク高さに追随することができる、パイプ形状のクーラント吸引部を具備したクーラント清浄装置によれば、従来のクーラント清浄装置と比較し、
円形クーラントタンクのタンク高さの制約がなくなると共に、円形クーラントタンク上面から円形クーラントタンク内を保守するためのスペースを広くとることが可能な、新規なクーラント清浄装置を提供できる。
【図面の簡単な説明】
【図１】本発明のクーラント清浄装置の一例を示す正面説明図である。
【図２】本発明のクーラント清浄装置の一例を示す平面説明図である。
【図３】従来のクーラント清浄装置の一例を示す正面説明図である。
【図４】従来のクーラント清浄装置の一例を示す平面説明図である。
【符号の説明】
１１・・・円形クーラントタンク      １２・・・矢印
１３・・・架台                      １４・・・フランジ付き中空軸
１５・・・スプロケット              １６・・・アーム
１７・・・アーム                    １８・・・クーラント面
１９・・・攪拌棒                    ２０・・・攪拌棒
２１・・・軸受け                    ２２・・・軸受け
２３・・・攪拌機用電動機            ２４・・・出力軸
２５・・・スプロケット              ２６・・・ローラーチェーン
２７・・・渦流                      ２８・・・底面
２９・・・中空部                    ３０・・・クーラントポンプ
３１・・・クーラント吸引パイプ      ３２・・・浸漬形クーラントポンプ
３３・・・セットボルト              ３４・・・クーラント吸引側先端部
３５・・・空気巻き込み防止プレート  ３６・・・中空回転座
３７・・・動力伝達手段              ３８・・・中空部
【図１】
2004237433.tif 000003
【図２】
2004237433.tif 000004
【図３】
2004237433.tif 000005
【図４】
2004237433.tif 000006